(57)【要約】
【課題】　ノートブック型コンピュータと外接装置例えばハードディスクドライブ、ＣＤ−ＲＯＭドライブ、ＤＶＤ−ＲＯＭドライブ、デジタルカメラ、ハブに同一の電源調整器を使用させて二組の電源調整器を携帯する不便と場所をとる問題を解決する。
【解決手段】　アダプタヘッドに雄形コネクタと雌形コネクタが設けられ、且つ該アダプタヘッドが電源線で電源コントローラに接続され、該電源コントローラより別の電源線が延伸されて末端に電源プラグが設けられ、該アダプタによりノートブック型コンピュータの使用する電源調整器の電源を分配して、外接装置に適当な作業電源を提供する。
【選択図】　　　　図２
0003099648.tif 000002
【実用新案登録請求の範囲】
【請求項１】
　アダプタにおいて、該アダプタはハードディスクドライブ、ＣＤ−ＲＯＭドライブ、ＤＶＤ−ＲＯＭドライブ、デジタルカメラ、ハブ等の外接装置に使用され、アダプタヘッドを具え、該アダプタヘッドに雄形コネクタと雌形コネクタが設けられ、且つアダプタヘッドが電源線で電源コントローラに連接され、該電源コントローラより別の電源線が延伸されて末端に電源プラグが設けられたことを特徴とする、アダプタ。
【請求項２】
　請求項１記載のアダプタにおいて、電源コントローラの内部の回路が外接制御装置の内部回路中にレイアウトされて、雄形コネクタと雌形コネクタのみを具えたアダプタヘッドと、電源線と電源プラグを具えたアダプタとされ、該外接制御装置の一側に電源ソケットが設けられ、もう一側に外接装置と接続される電源コネクタとバススロットが設けられたことを特徴とする、アダプタ。
【請求項３】
　請求項１記載のアダプタにおいて、アダプタの電源線の末端に設けられた電源プラグが複数組並列に接続されたことを特徴とする、アダプタ。
【考案の詳細な説明】
【技術分野】
【０００１】
　本考案は一種のアダプタに係り、特に、アダプタヘッドと電源コントローラにより、ノートブック型コンピュータの電源調整器の電源を分配することにより、外接装置例えばハードディスクドライブ、ＣＤ−ＲＯＭドライブ、ＤＶＤ−ＲＯＭドライブ、デジタルカメラ、ハブに適当な作業電源を提供し、これによりノートブック型コンピュータと外接装置に同一の電源調整器を使用させて、二組の電源調整器を携帯する不便と場所をとる問題を解決したアダプタに関する。
【背景技術】
【０００２】
　図１は周知のノートブック型コンピュータと外接装置の接続表示図である。図示されるように、該ノートブック型コンピュータ１０が使用する外接装置１４、例えばハードディスクドライブ、ＣＤ−ＲＯＭドライブ、ＤＶＤ−ＲＯＭドライブ、デジタルカメラ、ハブは、外接制御装置１５とバス１８で接続され、並びに外接制御装置１５とノートブック型コンピュータ１０のＵＳＢポート１９、１１（或いはＩＥＥＥ１３９４ポート）により、ＵＳＢコネクタ１６（或いはＩＥＥＥ１３９４コネクタ）を介して接続されることで、ノートブック型コンピュータ１０と外接装置１４がデータの入出力動作を行なう。
【０００３】
　前述のノートブック型コンピュータ１０と外接装置１４はいずれも独立した電源調整器１２、１３を使用し、ノートブック型コンピュータ１０の電源調整器１２は、その電源プラグ１７が専用に供され、外接装置１４の電源調整器１３は、その電源プラグがその専用に供される。このような接続方式には以下のような欠点がある。
　１．ノートブック型コンピュータ１０と外接装置１４は外出時の携帯と拡充使用のために、二組の電源調整器１２、１３を必要とするため、携帯の不便と場所をとる欠点を有する。
　２．ノートブック型コンピュータ１０と外接装置１４を外出時に携帯使用する時、コンセントの不足により使用できない場合がある。
　３．一部の電源調整器はその本体とプラグが一体とされ、体積が過大でありコンセントの提供する設置空間を占用し、コンセントの他の差し込み孔が使用不能となる欠点がある。
【考案の開示】
【考案が解決しようとする課題】
【０００４】
　本考案の主要な目的は、ノートブック型コンピュータの電源調整器のハイパワーの特性の利用に、アダプタの電源分配を組み合わせて、外接装置（ハードディスクドライブ、ＣＤ−ＲＯＭドライブ、ＤＶＤ−ＲＯＭドライブ、デジタルカメラ、ハブ）に適当な作業電源を提供し、これによりノートブック型コンピュータと外接装置に同一の電源調整器を使用させ、二組の電源調整器を携帯する不便と場所をとる欠点を解決することにある。
【０００５】
　本考案の次の目的は、コンセント不足の欠点を解決し、並びにコンセント空間を占用して他の差し込み孔が使用できなくなる問題を解決することにある。
【０００６】
　本考案のさらに別の目的は、アダプタの価格が電源調整器より低いことを利用し、使用者が採用しやすくし並びに購入の経費を減らせるようにすることにある。
【０００７】
　上述の目的を達成するため、本考案は一種のアダプタを提供し、それは、雄形コネクタと雌形コネクタが設けられ、且つ該アダプタが電源線で電源コントローラに連接され、該電源コントローラからもう一つの電源線が延伸されて末端に電源プラグが設けられたものとする。
【課題を解決するための手段】
【０００８】
　請求項１の考案は、アダプタにおいて、該アダプタはハードディスクドライブ、ＣＤ−ＲＯＭドライブ、ＤＶＤ−ＲＯＭドライブ、デジタルカメラ、ハブ等の外接装置に使用され、アダプタヘッドを具え、該アダプタヘッドに雄形コネクタと雌形コネクタが設けられ、且つアダプタヘッドが電源線で電源コントローラに連接され、該電源コントローラより別の電源線が延伸されて末端に電源プラグが設けられたことを特徴とする、アダプタとしている。
　請求項２の考案は、請求項１記載のアダプタにおいて、電源コントローラの内部の回路が外接制御装置の内部回路中にレイアウトされて、雄形コネクタと雌形コネクタのみを具えたアダプタヘッドと、電源線と電源プラグを具えたアダプタとされ、該外接制御装置の一側に電源ソケットが設けられ、もう一側に外接装置と接続される電源コネクタとバススロットが設けられたことを特徴とする、アダプタとしている。
　請求項３の考案は、請求項１記載のアダプタにおいて、アダプタの電源線の末端に設けられた電源プラグが複数組並列に接続されたことを特徴とする、アダプタとしている。
【考案の効果】
【０００９】
　本考案は、ノートブック型コンピュータの電源調整器のハイパワーの特性の利用に、アダプタの電源分配を組み合わせて、外接装置（ハードディスクドライブ、ＣＤ−ＲＯＭドライブ、ＤＶＤ−ＲＯＭドライブ、デジタルカメラ、ハブ）に適当な作業電源を提供し、これによりノートブック型コンピュータと外接装置に同一の電源調整器を使用させ、二組の電源調整器を携帯する不便と場所をとる欠点を解決している。
【００１０】
　本考案は、コンセント不足の欠点を解決し、並びにコンセント空間を占用して他の差し込み孔が使用できなくなる問題を解決している。
【００１１】
　本考案は、アダプタの価格が電源調整器より低いことを利用し、使用者が採用しやすくし並びに購入の経費を減らせるようにしている。
【考案を実施するための最良の形態】
【００１２】
　図２、３は本考案の実施例表示図である。該アダプタ２０は、アダプタヘッド２１を具え、該アダプタヘッド２１にノートブック型コンピュータの電源調整器の電源コネクタ構造に合わせて、雄形コネクタ２２と雌形コネクタ２３が設けられ、且つ該アダプタヘッド２１が電源線２４で電源コントローラ２５に連接され、該電源コントローラ２５よりもう一つの電源線が延伸されて末端に電源プラグ２６が設けられている（図２）。図３と図２の違いは電源プラグ２６、２６’にあり、この二つの電源プラグ２６、２６’は、外接装置１４（例えばハードディスクドライブ、ＣＤ−ＲＯＭドライブ、ＤＶＤ−ＲＯＭドライブ、デジタルカメラ、ハブ）の電源ソケットの構造により設計され、並びに一つの構造、規格、サイズに制限されるものではない。同様に、該アダプタヘッド２１の雄形コネクタ２２、雌形コネクタ２３もノートブック型コンピュータ１０の電源ソケット構造により設計され、ある構造、規格、サイズに限定されるものではない。
【００１３】
　図４は本考案の実施例の使用状態表示図である。図示されるように、本考案のアダプタ２０に設けられた雄形コネクタ２２と雌形コネクタ２３は、ノートブック型コンピュータ１０の電源調整器１２の電源プラグ１７の挿入に供され、ノートブック型コンピュータ１０の必要とする電源を提供し、一部の電源が電源コントローラ２５により適当に電圧安定化処理された後、１２Ｖと５Ｖの電源とされ、電源プラグ２６を介して外接装置１４に提供される。これから分かるように、本考案の使用により、外接装置１４の電源調整器１３の使用が減少する。前述のアダプタ２０は、その電源コントローラ２５の後ろの電源プラグ２６にもう一組或いは複数組の電源プラグ２６を並列に接続可能で（図５）、これにより複数の外接装置（ハードディスクドライブ、ＣＤ−ＲＯＭドライブ、ＤＶＤ−ＲＯＭドライブ、デジタルカメラ、ハブ）の作業電源を提供できる。
【００１４】
　図６、７は本考案の別の実施例及びその使用状態を示す。図示されるように、前述のアダプタ２０中の電源コントローラ２５内部の回路は、外接制御装置３０の内部回路中にレイアウトされて、僅かに雄形コネクタ２２、雌形コネクタ２３、及び電源線２４と電源プラグ２７を具えたアダプタ２０’とされている。
【００１５】
　前述の外接制御装置３０は、一側に電源プラグ２６に対応するソケット３２とＵＳＢポート（或いはＩＥＥＥ１３９４ポート）が設けられ、もう一側に外接装置１４を挿入できる電源コネクタ３３とバススロット３４が設けられている。使用時には、該外接制御装置３０が電源コネクタ３３とバススロット３４により、直接外接装置１４と接続され（寸法と規格は合わせる必要がある）、アダプタ２０’のアダプタヘッド２１の雄形コネクタ２２と雌形コネクタ２３が、ノートブック型コンピュータ１０の電源ソケットに挿入され、アダプタ２０’の電源プラグ２７が外接制御装置３０のソケット３２に挿入される。このような電源接続方式、組合せ形態と構造により、外接装置１４の電源がノートブック型コンピュータ１０の電源調整器１２より取得され、外接装置１４の電源調整器１３を使用する必要がなくなる。こうして一組の電源調整器の使用が減らされ、携帯に便利で場所を取らない機能が達成される。さらに一組の電源調整器の購入の費用が減らされる（外接のハードディスクドライブ、ＣＤ−ＲＯＭドライブ或いはその他の外接装置を同時に使用する状況で）。
【００１６】
　以上述べたように、本考案はハードディスクドライブ、ＣＤ−ＲＯＭドライブ、ＤＶＤ−ＲＯＭドライブ、デジタルカメラ、ハブ等の外接装置に応用可能で、実用性と利用の価値を有し、実用新案登録の要件に符合している。
【図面の簡単な説明】
【００１７】
【図１】周知のノートブック型コンピュータと外接装置の接続の表示図である。
【図２】本考案の実施例１の表示図である。
【図３】本考案の実施例２の表示図である。
【図４】本考案の実施例１の使用状態表示図である。
【図５】本考案の実施例３の表示図である。
【図６】本考案の実施例４の表示図である。
【図７】本考案の実施例４の使用状態表示図である。
【符号の説明】
【００１８】
１０　ノートブック型コンピュータ　　　　１１　ＵＳＢポート
１２　電源調整器　　　　　　　　　　　　１３　電源調整器
１４　外接装置　　　　　　　　　　　　　１５　外接制御装置
１６　ＵＳＢコネクタ　　　　　　　　　　１７　電源プラグ
１８　バス　　　　　　　　　　　　　　　１９　ＵＳＢポート
２０、２０’　アダプタ　　　　　　　　　２１　アダプタヘッド
２２　雄形コネクタ　　　　　　　　　　　２３　雌形コネクタ
２４　電源線　　　　　　　　　　　　　　２５　電源コントローラ
２６、２６’　電源プラグ　　　　　　　　２７　電源プラグ
３０　外接制御装置　　　　　　　　　　　３１　ＵＳＢポート
３２　ソケット　　　　　　　　　　　　　３３　電源コネクタ
３４　バススロット
【図１】
0003099648.tif 000003
【図２】
0003099648.tif 000004
【図３】
0003099648.tif 000005
【図４】
0003099648.tif 000006
【図５】
0003099648.tif 000007
【図６】
0003099648.tif 000008
【図７】
0003099648.tif 000009